(57)【要約】【課題】連結部にフェイルセーフ機能を備え、かつ連結部の位置を認識し易くしたボールチェーンを提供する。【解決手段】コード上に合成樹脂のボールを等間隔に成形して固着し、コードの両端部を連結部１１で連結して無端状としたボールチェーンにおいて、連結部１１は、互いに嵌合する第一の連結部材１２と第二の連結部材１３を備え、第一の連結部材１２と第二の連結部材１３の少なくともいずれかをボール１０と異なる色彩で形成した。【選択図】図２
2011075015.tif 000002
【特許請求の範囲】
【請求項１】
コード上に合成樹脂のボールを等間隔に成形して固着し、前記コードの両端部を連結部で連結して無端状としたボールチェーンにおいて、
前記連結部は、互いに嵌合する第一の連結部材と第二の連結部材を備え、前記第一の連結部材と第二の連結部材の少なくともいずれかを前記ボールと異なる色彩で形成したことを特徴とするボールチェーン。
【請求項２】
前記コードの両端部に前記第一の連結部材を形成し、該第一の連結部材に嵌合突部を備えた嵌合部を設け、前記第二の連結部材は前記嵌合突部を嵌合可能とした筒状に形成し、前記嵌合部と前記第二の連結部材とを異なる色彩の合成樹脂で成形したことを特徴とする請求項１記載のボールチェーン。
【請求項３】
前記連結部は、
前記嵌合部と前記ボールの色彩を同一とし、前記第二の連結部材の色彩を、前記ボールと異なる色彩としたことを特徴とする請求項２記載のボールチェーン。
【請求項４】
前記連結部は、
前記嵌合部と前記ボールの色彩を異なる色彩とし、前記第二の連結部材の色彩を前記ボールと同一としたことを特徴とする請求項２記載のボールチェーン。
【請求項５】
前記連結部は、
前記第二の連結部材と、前記嵌合部に隣り合う第一のボールとを、その他の第二のボールと異なる色彩としたことを特徴とする請求項２記載のボールチェーン。
【請求項６】
前記連結部は、
前記嵌合部と、該嵌合部に隣り合う第一のボールとを、その他の第二のボールと異なる色彩とし、前記第二の連結部材を前記第二のボールと同一の色彩としたことを特徴とする請求項２記載のボールチェーン。
【請求項７】
前記連結部は、
前記嵌合部に隣り合う第一のボールと前記第二の連結部材とを異なる色彩とするとともに、前記第一のボール及び第二の連結部材を前記第一のボール以外の第二のボールとも異なる色彩とし、前記嵌合部を前記第二のボールと同一の色彩としたことを特徴とする請求項２記載のボールチェーン。
【請求項８】
前記連結部は、
前記嵌合部を、前記ボールと異なり、かつ互いに異なる色彩とし、前記第二の連結部材を前記ボールと同一の色彩としたことを特徴とする請求項２記載のボールチェーン。
【請求項９】
前記連結部は、
前記第二の連結部材を透明とし、前記嵌合部及び前記ボールを不透明としたことを特徴とする請求項２記載のボールチェーン。
【請求項１０】
前記第一の連結部材は、
連結コードの一端に設けられ、前記コードの端部に溶着可能とした半球部と、
連結コードの他端に設けた前記嵌合部と、
前記嵌合部と前記半球部との間に設けられた前記第一のボールと
を備えたことを特徴とする請求項５乃至７のいずれか１項に記載のボールチェーン。
【請求項１１】
前記コードの一端に前記第一の連結部材を形成し、前記コードの他端に前記第二の連結部材を形成し、前記第一及び第二の連結部材に互いに嵌合可能とした第一の嵌合部と第二の嵌合部を設け、前記第一の嵌合部と第二の嵌合部とを異なる色彩の合成樹脂で成形したことを特徴とする請求項１記載のボールチェーン。
【請求項１２】
前記第一の嵌合部と第二の嵌合部を、前記ボールと異なる色彩で成形したことを特徴とする請求項１１記載のボールチェーン。
【請求項１３】
前記第一及び第二の嵌合部に隣り合う第一のボールを、前記ボールと異なる色彩で成形したことを特徴とする請求項１１記載のボールチェーン。
【請求項１４】
請求項１乃至１３のいずれか１項に記載のボールチェーンをプーリーに掛装して垂下し、該プーリーの回転操作に基づいて日射遮蔽材を開閉操作することを特徴とする日射遮蔽装置。
【発明の詳細な説明】
【技術分野】
【０００１】
この発明は、ロールブラインド、横型ブラインド、縦型ブラインド、網戸、上下スライド窓、オーニング、天窓、物干し竿の昇降装置等の操作コードとして使用するボールチェーンに関するものである。
【背景技術】
【０００２】
ロールブラインドの一種類として、スクリーンの巻取軸の一端に取着されたプーリーに無端状のボールチェーンを掛装し、そのボールチェーンを操作してプーリーを回転させることにより、スクリーンを昇降操作可能としたものがある。
【０００３】
ボールチェーンは、例えば合成樹脂で紐状に形成されたコードに対し、同じく合成樹脂のボールを等間隔に成形して固定したものである。そして、プーリーの周面に形成された凹部に各ボールを順次係合させてプーリーを回転駆動可能となっている。
【０００４】
このようなボールチェーンは、多数のボールを成形して取着したコードの両端をコネクタで連結して無端状とする構成が一般的である。また、プーリーに対しボールチェーンを１回転以上周回させてスクリーンの昇降操作を行うロールブラインドの場合には、ボールチェーンの連結部のボール形状及びボール間隔は他の部分のボール形状及びボール間隔と同一とする必要がある。
【０００５】
このような場合には、連結部のボールを２分割し、その分割部を互いに嵌合してボールを構成するものが提案されている。（特許文献１参照）
【先行技術文献】
【特許文献】
【０００６】
【特許文献１】特開２００３−１８４４５６号
【発明の概要】
【発明が解決しようとする課題】
【０００７】
上記のように無端状のボールチェーンがプーリーから垂下されていると、そのボールチェーンの無端縁が室内を移動する居住者やその他の移動物体に引っ掛かることがある。
従って、ボールチェーンには、ボールチェーンに通常の操作時に作用する引張り力を超えるような過大な引張り力が作用するときには、その引張り力によりボールチェーンを切断して居住者の安全を確保し、かつボールチェーンが掛装されるプーリー等の損傷を未然に防止するフェイルセーフ機能を備えることが必要となっている。
【０００８】
ボールチェーンの連結部にフェイルセーフ機能を持たせた場合には、その連結部が無端状のボールチェーンのどの位置にあるかを認識可能とすることが望ましい。すなわち、出荷に先立つボールチェーンの強度試験時には、連結部の位置を容易に特定できれば、試験時間の短縮を図ることができる。また、使用時には連結部がプーリーに掛かっている状態でボールチェーンが手放されると、ボールチェーンに過大な引張り力が作用しても、連結部でボールチェーンが切断されない場合がある。
【０００９】
この発明の目的は、連結部にフェイルセーフ機能を備え、かつ連結部の位置を認識し易くしたボールチェーンを提供することにある。
【課題を解決するための手段】
【００１０】
請求項１では、コード上に合成樹脂のボールを等間隔に成形して固着し、前記コードの両端部を連結部で連結して無端状としたボールチェーンにおいて、前記連結部は、互いに嵌合する第一の連結部材と第二の連結部材を備え、前記第一の連結部材と第二の連結部材の少なくともいずれかを前記ボールと異なる色彩で形成した。
【００１１】
請求項２では、前記コードの両端部に前記第一の連結部材を形成し、該第一の連結部材に嵌合突部を備えた嵌合部を設け、前記第二の連結部材は前記嵌合突部を嵌合可能とした筒状に形成し、前記嵌合部と前記第二の連結部材とを異なる色彩の合成樹脂で成形した。
【００１２】
請求項３では、前記連結部は、前記嵌合部と前記ボールの色彩を同一とし、前記第二の連結部材の色彩を、前記ボールと異なる色彩とした。
請求項４では、前記連結部は、前記嵌合部と前記ボールの色彩を異なる色彩とし、前記第二の連結部材の色彩を前記ボールと同一とした。
【００１３】
請求項５では、前記連結部は、前記第二の連結部材と、前記嵌合部に隣り合う第一のボールとを、その他の第二のボールと異なる色彩とした。
請求項６では、前記連結部は、前記嵌合部と、該嵌合部に隣り合う第一のボールとを、その他の第二のボールと異なる色彩とし、前記第二の連結部材を前記第二のボールと同一の色彩とした。
【００１４】
請求項７では、前記連結部は、前記嵌合部に隣り合う第一のボールと前記第二の連結部材とを異なる色彩とするとともに、前記第一のボール及び第二の連結部材を前記第一のボール以外の第二のボールとも異なる色彩とし、前記嵌合部を前記第二のボールと同一の色彩とした。
【００１５】
請求項８では、前記連結部は、前記嵌合部を、前記ボールと異なり、かつ互いに異なる色彩とし、前記第二の連結部材を前記ボールと同一の色彩とした。
請求項９では、前記連結部は、前記第二の連結部材を透明とし、前記嵌合部及び前記ボールを不透明とした。
【００１６】
請求項１０では、前記第一の連結部材は、前記連結コードの一端に設けられ、前記コードの端部に溶着可能とした半球部と、連結コードの他端に設けた前記嵌合部と、前記嵌合部と前記半球部との間に設けられた前記第一のボールとを備えた。
【００１７】
請求項１１では、前記コードの一端に前記第一の連結部材を形成し、前記コードの他端に前記第二の連結部材を形成し、前記第一及び第二の連結部材に互いに嵌合可能とした第一の嵌合部と第二の嵌合部を設け、前記第一の嵌合部と第二の嵌合部とを異なる色彩の合成樹脂で成形した。
【００１８】
請求項１２では、前記第一の嵌合部と第二の嵌合部を、前記ボールと異なる色彩で成形した。
請求項１３では、前記第一及び第二の嵌合部に隣り合う第一のボールを、前記ボールと異なる色彩で成形した。
【００１９】
請求項１４では、請求項１乃至１３のいずれか１項に記載のボールチェーンをプーリーに掛装して垂下し、該プーリーの回転操作に基づいて日射遮蔽材を開閉操作する。
【発明の効果】
【００２０】
本発明によれば、連結部にフェイルセーフ機能を備え、かつ連結部の位置を認識し易くしたボールチェーンを提供することができる。
【図面の簡単な説明】
【００２１】
【図１】一実施形態のロールブラインドを示す正面図である。
【図２】（ａ）〜（ｅ）は第一の実施形態のボールチェーンを示す説明図である。
【図３】（ａ）〜（ｄ）は第一の実施形態の連結部を示す説明図である。
【図４】第一の実施形態の連結部を示す分解斜視図である。
【図５】第一の実施形態の第一の連結部材を示す正面図である。
【図６】第一の実施形態の第一の連結部材を示す平面図である。
【図７】第一の実施形態の第一の連結部材を示す側面図である。
【図８】図５におけるＣ−Ｃ線断面図である。
【図９】第一の実施形態の第二の連結部材を示す正面図である。
【図１０】第一の実施形態の第二の連結部材を示す背面図である。
【図１１】図９におけるＤ−Ｄ線断面図である。
【図１２】図９におけるＥ−Ｅ線断面図である。
【図１３】図１１におけるＦ−Ｆ線断面図である。
【図１４】連結部材の嵌合状態を示す断面図である。
【図１５】（ａ）〜（ｅ）は第二の実施形態のボールチェーンを示す説明図である。
【図１６】（ａ）〜（ｄ）は第二の実施形態の連結部を示す説明図である。
【図１７】（ａ）〜（ｅ）は第三の実施形態のボールチェーンを示す説明図である。
【図１８】（ａ）〜（ｄ）は第三の実施形態の連結部を示す説明図である。
【図１９】（ａ）〜（ｅ）は第四の実施形態のボールチェーンを示す説明図である。
【図２０】（ａ）〜（ｄ）は第四の実施形態の連結部を示す説明図である。
【図２１】（ａ）〜（ｅ）は第五の実施形態のボールチェーンを示す説明図である。
【図２２】（ａ）〜（ｄ）は第五の実施形態の連結部を示す説明図である。
【図２３】（ａ）〜（ｅ）は第六の実施形態のボールチェーンを示す説明図である。
【図２４】（ａ）〜（ｄ）は第六の実施形態の連結部を示す説明図である。
【図２５】（ａ）〜（ｅ）は第七の実施形態のボールチェーンを示す説明図である。
【図２６】（ａ）〜（ｅ）は第七の実施形態の連結部を示す説明図である。
【図２７】（ａ）〜（ｅ）は第八の実施形態のボールチェーンを示す説明図である。
【図２８】（ａ）〜（ｄ）は第八の実施形態の連結部を示す説明図である。
【図２９】第八の実施形態の連結部を示す分解斜視図である。
【図３０】第八の実施形態の第一の連結部材を示す正面図である。
【図３１】第八の実施形態の第一の連結部材を示す側面図である。
【図３２】図３０におけるＡ−Ａ線断面図である。
【図３３】第八の実施形態の第二の連結部材を示す断面図である。
【図３４】第八の実施形態の第二の連結部材を示す側面図である。
【図３５】図３３におけるＢ−Ｂ線断面図である。
【図３６】第八の実施形態の連結部材の嵌合状態を示す断面図である。
【図３７】（ａ）〜（ｅ）は第九の実施形態のボールチェーンを示す説明図である。
【図３８】（ａ）〜（ｄ）は第九の実施形態の連結部を示す説明図である。
【図３９】（ａ）〜（ｅ）は第十の実施形態のボールチェーンを示す説明図である。
【図４０】（ａ）〜（ｄ）は第十の実施形態の連結部を示す説明図である。
【発明を実施するための形態】
【００２２】
（第一の実施形態）
以下、この発明を具体化した第一の実施形態を図面に従って説明する。図１に示すロールブラインドは、フレーム１が取付ブラケット２を介して取付面に固定され、そのフレーム１の両端に取着された一対の支持ブラケット３ａ，３ｂ間に巻取軸４が回転可能に支持されている。
【００２３】
前記巻取軸４からスクリーン（日射遮蔽材）５が垂下され、そのスクリーン５の下端にはボトムレール６が取着されている。
一方の前記支持ブラケット３ａにはプーリー７が回転可能に支持され、そのプーリー７に無端状のボールチェーン８が掛装されている。そして、ボールチェーン８の操作によりプーリー７を回転させると前記巻取軸４が回転され、その巻取軸４の回転によりスクリーン５が巻取軸４に巻き取られてボトムレール６が引き上げられ、あるいはスクリーン５が巻取軸４から巻戻されてボトムレール６が下降する。
【００２４】
前記巻取軸４内には、巻取軸４をスクリーン巻取り方向に付勢するスプリングモーターと、そのスプリングモーターの付勢力による巻取軸４の回転を阻止するクラッチ装置とが内蔵されている。
【００２５】
そして、ボールチェーン８を操作して巻取軸４をスクリーン巻戻し方向に回転させると、スクリーン５が巻戻されるとともに、巻取軸４内でスプリングモーターが蓄勢される。そして、スクリーン５を所望高さまで引き下げてボールチェーン８を手放すと、クラッチ装置が作動して、スプリングモーターの付勢力による巻取軸４の回転が阻止され、スクリーン５が所望高さに保持される。
【００２６】
また、スクリーン５が所望高さに保持されている状態から、ボールチェーン８を操作して巻取軸４をスクリーン巻戻し方向に僅かに回転させると、クラッチ装置の作動が解除される。そして、スプリングモーターの付勢力により巻取軸４がスクリーン巻取り方向に回転され、スクリーン５が巻取軸４に巻き取られて上限まで自動的に引き上げられる。
【００２７】
次に、前記ボールチェーン８の具体的構成を図２〜図１４に従って説明する。図２に示すように、前記ボールチェーン８はポリエステルのコード９上に等間隔に合成樹脂のボール１０が成形されている。各ボール１０はコード９の表面上に成形機で長球状の充実体を成形したものであり、各ボール１０がコード９に対し移動不能に固着されている。前記コード９の両端部は、連結部１１で連結されて無端状のボールチェーン８が構成される。
【００２８】
図３に示すように、連結部１１は同一構成の２つの第一の連結部材１２を筒状の第二の連結部材１３で連結した構成である。
前記第一の連結部材１２は、図４に示すように、前記コード９と同一材質の連結コード１４の一端に前記ボール１０の半分の形状の半球部１５が形成され、他端には嵌合部１６が形成されている。前記半球部１５と嵌合部１６との間に前記ボール１０と同形状のボール１７が固着され、前記嵌合部１６とボール１７との間隔及びボール１７と半球部１５との間隔は、前記ボール１０の間隔と同一である。
【００２９】
前記半球部１５及び嵌合部１６は、前記ボール１０，１７と同一の白色の合成樹脂で前記連結コード１４の両端部に成形される。
前記嵌合部１６の基端部は、前記ボール１０の端部と同様な半球状に形成され、嵌合部１６の先端部には、丸軸状の嵌合突部１８が形成されている。
【００３０】
前記嵌合突部１８の先端部の外周面上には、図４〜図７に示すように、丸軸の中心に対し線対称状に膨径部１９が形成され、その膨径部１９の中間には断面半円状の係止凹部２０がそれぞれ形成されている。また、前記膨径部１９の先端側及び基端側には面取り２１が形成されている。
【００３１】
前記嵌合突部１８の基端部には、図４及び図８に示すように、丸軸の径方向に突出する回動規制部２２が中心に対し線対称状に形成されている。また、各回動規制部２２は、前記丸軸の中心に対し前記係止凹部２０から周方向に４５度隔てた位置に形成される。
【００３２】
前記第二の連結部材１３は、前記嵌合部１６及びボール１０，１７とは異なる黒色の合成樹脂で円筒状に成形され、図９及び図１０に示すように、両側の開口部２３ａ，２３ｂは前記嵌合突部１８の膨径部１９を含む先端部を挿入可能とした俵形に形成されている。また、開口部２３ａ，２３ｂは、その俵形の方向が円筒の中心に対し互いに９０度回転した形状となっている。
【００３３】
前記第二の連結部材１３の内部には、前記嵌合突部１８の先端部を回動可能とする径を備えた円形孔２４が形成されている。そして、開口部２３ａの俵形の短軸方向の開口縁には、前記膨径部１９の円形孔２４からの抜けを妨げる係止部２５ａ，２５ｂがそれぞれ形成され、開口部２３ｂの俵形の短軸方向の開口縁には、前記膨径部１９の円形孔２４からの抜けを妨げる係止部２５ｃ，２５ｄがそれぞれ形成されている。
【００３４】
図１１及び図１２に示すように、前記係止部２５ａ〜２５ｄと前記円形孔２４の境界部には面取り２６が設けられ、前記嵌合突部１８が円形孔２４から引き抜かれるとき、前記面取り２１，２６の作用により、前記係止部２５ａ〜２５ｄの損傷を防止するようになっている。
【００３５】
また、図９〜図１３に示すように、前記係止部２５ａ，２５ｃの内側において、前記円形孔２４の内周面には前記係止凹部２０に係合する係止突部２７がそれぞれ形成されている。
【００３６】
前記第一の連結部材１２と第二の連結部材１３とを連結するには、嵌合部１６の嵌合突部１８を第二の連結部材１３の開口部２３ａに挿入し、嵌合部１６を第二の連結部材１３に対し時計方向に９０度回動する。すると、嵌合突部１８の係止凹部２０が円形孔２４内の係止突部２７に係合し、回動規制部２２が開口部２３ａの俵形の角部から隣の角部まで移動して、図１４に示すように位置決めされる。
【００３７】
また、第二の連結部材１３の他方の開口部２３ｂにも同様に第一の連結部材１２を挿入して９０度回動させて位置決めする。すると、図３（ａ）に示すように、第二の連結部材１３を介して第一の連結部材１２が連結される。
【００３８】
この状態では、各第一の連結部材１２の嵌合突部１８の膨径部１９が第二の連結部材１３の係止部２５ａ〜２５ｄに係合して、第二の連結部材１３の円形孔２４内に保持される。
【００３９】
この保持力は、通常のスクリーン昇降操作にボールチェーン８に作用する通常の引張り力では、嵌合突部１８が第二の連結部材１３から外れることがないように設定されている。そして、ボールチェーン８に通常の引張り力を超える大きな引張り力が作用したときに限り、第二の連結部材１３の合成樹脂の弾性により、嵌合突部１８の膨径部１９により第二の連結部材１３の開口部２３ａ，２３ｂが押し広げられて、嵌合突部１８が第二の連結部材１３から外れるようになっている。
【００４０】
また、第二の連結部材１３の両側に嵌合部１６を嵌合した状態での外形形状は、前記ボール１０と同一形状となるように形成されている。
前記第一の連結部材１２の半球部１５は、前記コード９の両端に形成された半球部１０ａ（図３参照）に溶着固定されて、前記ボール１０と同一形状のボールが形成される。そして、前記第一の連結部材１２を第二の連結部材１３で連結すると、無端状のボールチェーン８が形成される。
【００４１】
このように構成されたボールチェーン８では、前記ボールチェーン８のコード９及び前記連結部１１の連結コード１４の全長に亘って同一形状のボールが同一間隔で形成される。従って、ボールチェーン８はプーリー７に対し制限なく周回可能である。
【００４２】
上記のように構成されたボールチェーン８では、次に示す作用効果を得ることができる。
（１）ボールチェーン８の連結部１１を構成する第二の連結部材１３を黒色とし、第二の連結部材１３以外の連結部１１及びボールチェーン８を白色としたので、ボールチェーン８上においてセーフティ機能を備えた連結部１１の位置を容易に認識することができる。
（２）連結部１１の位置を容易に認識することができるので、スクリーン５を昇降操作してボールチェーン８を手放すとき、連結部１１がプーリー７に掛かっているか否かを容易に認識することができる。連結部１１がプーリー７に掛かっていると、セーフティ機能を確実に発揮できないことがあるが、連結部１１がプーリー７に掛かっていない状態でボールチェーン８を手放すことにより、セーフティ機能を確実に発揮させることができる。
（３）ロールブラインドの出荷に先立ってボールチェーン８の半球部１０ａ，１５の溶着部分の強度試験を行うとき、連結部１１を容易に認識することができるので、半球部１０ａ，１５の溶着位置を容易に特定することができる。従って、溶着位置を特定するために要する時間を短縮して、溶着部の強度試験コストを低減することができる。
（４）スクリーン５の昇降操作時に連結部１１が外れないように位置させることができる。上記ロールブラインドでは、プーリー７から前後方向に垂下される無端状のボールチェーン８のうち、後方に垂下されるボールチェーン８を下方へ操作してスクリーン５を下降操作可能とし、後方に垂下されるボールチェーン８を僅かに下方へ引いてスクリーン５を引き上げ操作可能としている。このような構成では、スクリーン５が上限まで引き上げられているとき、連結部１１が前方に垂下されている状態とすれば、スクリーン５の下降操作により連結部１１が無用に外れてしまうことを防止することができる。
（第二の実施形態）
図１５及び図１６は、第二の実施形態を示す。この実施形態は、前記第一の実施形態の連結部１１の配色のみを変更したものである。そして、第一の連結部材１２の嵌合部１６のみが黒色樹脂で成形され、第一の連結部材１２の半球部１５及びボール１７と、第二の連結部材１３が白色樹脂で成形されている。その他の構成は、第一の実施形態と同様である。
【００４３】
このような構成により、黒色の嵌合部１６を備えた連結部１１の位置を容易に認識することができるので、第一の実施形態と同様な作用効果を得ることができる。
（第三の実施形態）
図１７及び図１８は、第三の実施形態を示す。この実施形態は、第一の連結部材１２のボール１７と、第二の連結部材１３のみを黒色樹脂で成形したものである。その他の構成は、第一の実施形態と同様である。
【００４４】
このような構成により、第一の実施形態と同様な作用効果を得ることができる。また、連結部１１の黒色部分が多いので、第一及び第二の実施形態に比して、連結部１１をさらに容易に認識することができる。
（第四の実施形態）
図１９及び図２０は、第四の実施形態を示す。この実施形態は、第一の連結部材１２のボール１７及び嵌合部１６のみを黒色樹脂で成形したものである。その他の構成は、第一の実施形態と同様である。
【００４５】
このような構成により、第一の実施形態と同様な作用効果を得ることができる。また、連結部１１の黒色部分が多いので、第一及び第二の実施形態に比して、連結部１１をさらに容易に認識することができる。
（第五の実施形態）
図２１及び図２２は、第五の実施形態を示す。この実施形態は、第一の連結部材１２のボール１７を黒色で成形し、第二の連結部材１３を黒色及び白色以外の例えば灰色等の第三の色彩を備えた合成樹脂で成形したものである。その他の構成は、第一の実施形態と同様である。
【００４６】
このような構成により、第一の実施形態と同様な作用効果を得ることができる。また、連結部１１にボールチェーン８の他の部分とは異なる２種類の色彩を備えるので、連結部１１を容易に認識することができる。
（第六の実施形態）
図２３及び図２４は、第六の実施形態を示す。この実施形態は、一方の第一の連結部材１２の嵌合部１６を黒色の合成樹脂で成形し、他方の第一の連結部材１２の嵌合部１６を例えば灰色の合成樹脂で成形し、第二の連結部材１３を白色の合成樹脂で成形したものである。その他の構成は、第一の実施形態と同様である。
【００４７】
このような構成により、第五の実施形態と同様な作用効果を得ることができる。また、各第一の連結部材１２の嵌合部１６の色彩が異なるので、この色彩の違いをボールチェーン８の操作方向の違いに対応させて、スクリーン５の引き上げ方向あるいは下降方向を表示することもできる。
（第七の実施形態）
図２５及び図２６は、第七の実施形態を示す。この実施形態は、第二の連結部材１３を透明な合成樹脂で成形したものである。その他の構成は、第一の実施形態と同様である。
【００４８】
このような構成により、第二の連結部材１３の色彩が第一の連結部材１２の色彩と異なるため、第一の実施形態と同様な作用効果を得ることができる。また、第二の連結部材１３が透明であるので、第一の連結部材１２の嵌合部１６との嵌合状態を把握し易いので、組立て作業を効率よく行うことができる。
（第八の実施形態）
図２７〜図３６は、ボールチェーン８の連結部の第八の実施形態を示す。この実施形態の連結部３１は、第一の連結部材３２を第二の連結部材３３に嵌合して連結する構成である。前記第一の実施形態と同一構成部分は同一符号を付して説明する。
【００４９】
図２７及び図２８に示すように、連結部３１は第一の連結部材３２と第二の連結部材３３とで構成される。前記第一の連結部材３２は、図２９に示すように、前記コード９と同一材質の連結コード１４の一端に前記ボール１０の半分の形状の半球部１５が形成され、他端には第一の嵌合部３４が形成されている。
【００５０】
前記半球部１５と第一の嵌合部３４との間に前記ボール１０と同形状のボール１７が固着され、前記第一の嵌合部３４とボール１７との間隔及びボール１７と半球部１５との間隔は、前記ボール１０の間隔と同一である。
【００５１】
前記半球部１５及び第一の嵌合部３４は、前記ボール１０，１７と同一の白色の合成樹脂で前記連結コード１４の両端部に成形される。
前記第一の嵌合部３４の基端部は、前記ボール１７の端部と同様な半球状に形成され、第一の嵌合部３４の先端部には、丸軸の両側部を平行に切除した断面俵形の嵌合突部３５が形成されている。
【００５２】
前記嵌合突部３５の先端部には、図３１及び図３２に示すように、俵形の長軸方向に膨径された膨径部３６が形成され、その膨径部３６の長軸方向の両側部の外周面に凹条３７が第一の嵌合部３４の軸方向に設けられている。また、前記膨径部３６の先端角部には面取り３８が形成されている。
【００５３】
前記第二の連結部材３３は、図３３に示すように、前記コード９と同一材質の連結コード１４の一端に前記ボール１７の半分の形状の半球部１５が形成され、他端には第二の嵌合部３９が形成されている。
【００５４】
前記半球部１５と第二の嵌合部３９との間に前記ボール１０と同形状のボール１７が固着され、前記第二の嵌合部３９とボール１７との間隔及びボール１７と半球部１５との間隔は、前記ボール１０の間隔と同一である。
【００５５】
前記半球部１５及びボール１７は、前記ボール１０と同一の白色の合成樹脂で成形され、前記第二の嵌合部３９は黒色樹脂で成形されている。
前記第二の嵌合部３９の基端部は、前記ボール１０の端部と同様な半球状に形成され、第二の嵌合部３９の先端面の中央部には、嵌合孔４０が形成されている。前記嵌合孔４０は、図３４に示すように、前記嵌合突部３５の膨径部３６を挿入可能とする俵形に開口されている。
【００５６】
前記嵌合孔４０の奥部は、図３３及び図３５に示すように、同嵌合孔４０内で前記嵌合突部３５を回動可能とする径で円形に形成されている。従って、嵌合孔４０の開口部には前記膨径部３６に係合する係止部４１が線対称状に形成されている。この係止部４１の開口縁は、前記嵌合突部３５の基端部を回動可能とするように、円弧状に抉られている。
【００５７】
前記嵌合孔４０の奥部内周面の一側には前記凹条３７に係合可能とした突条４２が形成されている。前記突条４２は、前記嵌合孔４０の開口部の長軸Ｌ１と直交する短軸Ｌ２上に形成される。
【００５８】
上記のような第一の嵌合部３４と第二の嵌合部３９を連結するには、嵌合突部３５の膨径部３６を嵌合孔４０に挿入し、この状態で第一の嵌合部３４をいずれかの方向へ９０度回動させる。すると、膨径部３６の凹条３７が嵌合孔４０内の突条４２に係合して位置決めされ、図３６に示すように、膨径部３６が係止部４１に係合して嵌合孔４０内に保持される。
【００５９】
この保持力は、通常のスクリーン昇降操作時にボールチェーン８に作用する通常の引張り力では嵌合突部３５と嵌合孔４０の嵌合が外れることがないように設定されている。また、ボールチェーン８に通常の引張り力を超える大きな引張り力が作用したときに限り、合成樹脂の弾性により嵌合孔４０の開口部が広げられて膨径部３６が係止部４１を乗り越えて、嵌合突部３５と嵌合孔４０の嵌合が外れるようになっている。
【００６０】
また、嵌合突部３５を嵌合孔４０に嵌合した状態では、前記第一及び第二の嵌合部３４，３９の外形が前記ボール１０と同一形状となるように形成される。
前記第一及び第二の連結部材３２，３３の半球部１５は、前記コード９の両端に形成された半球部１０ａに溶着固定されて、前記ボール１０と同一形状のボールが形成される。そして、前記嵌合突部３５を嵌合孔４０に嵌合すると、無端状のボールチェーン８が形成される。
【００６１】
上記のように構成されたボールチェーン８では、ボールチェーン８の連結部３１を構成する第二の連結部材３３の第二の嵌合部３９を黒色とし、第二の嵌合部３９以外の連結部３１及びボールチェーン８を白色としたので、ボールチェーン８上においてセーフティ機能を備えた連結部３１の位置を容易に認識することができる。従って、第一の実施形態と同様な作用効果を得ることができる。
（第九の実施形態）
図３７及び図３８は、第九の実施形態を示す。この実施形態は、第二の連結部材３３の第二の嵌合部３９と、第一及び第二の連結部材３２，３３のボール１７を黒色樹脂で成形したものである。その他の構成は、第八の実施形態と同様である。
【００６２】
このような構成により、第八の実施形態と同様な作用効果を得ることができる。また、連結部３１の黒色部分が多いので、第八の実施形態に比して、連結部３１をさらに容易に認識することができる。
（第十の実施形態）
図３９及び図４０は、第十の実施形態を示す。この実施形態は、第二の連結部材３３の第二の嵌合部３９を黒色の合成樹脂で成形するとともに、第一の連結部材３２の第一の嵌合部３４を例えば灰色の合成樹脂で成形したものである。その他の構成は、第八の実施形態と同様である。
【００６３】
このような構成により、第八の実施形態と同様な作用効果を得ることができる。また、第一の嵌合部３４と第二の嵌合部３９の色彩が異なるので、この色彩の違いをボールチェーン８の操作方向の違いに対応させて、スクリーン５の引き上げ方向あるいは下降方向を表示することもできる。
【００６４】
上記実施形態は、以下の態様で実施してもよい。
・ボールチェーン８のボール１０と連結部１１，３１の合成樹脂部分の色彩は、白色、黒色、灰色以外に、ベージュあるいはブラウン等の色彩を適宜組み合わせて使用してもよい。
・連結部１１，３１の連結コード１４を、ボールチェーン８のコードの色彩と異なる色彩としてもよい。
・前記ボールチェーン８は、横型ブラインド、縦型ブラインド、網戸、上下スライド窓、オーニング、天窓、物干し竿の昇降装置等の操作コードとして使用してもよい。
【符号の説明】
【００６５】
８…ボールチェーン、９…コード、１０，１７…ボール、１１，３１…連結部、１２，３２…第一の連結部材、１３，３３…第二の連結部材、１６…嵌合部、３４…第一の嵌合部、３９…第二の嵌合部。
【図１】
2011075015.tif 000003
【図２】
2011075015.tif 000004
【図３】
2011075015.tif 000005
【図４】
2011075015.tif 000006
【図５】
2011075015.tif 000007
【図６】
2011075015.tif 000008
【図７】
2011075015.tif 000009
【図８】
2011075015.tif 000010
【図９】
2011075015.tif 000011
【図１０】
2011075015.tif 000012
【図１１】
2011075015.tif 000013
【図１２】
2011075015.tif 000014
【図１３】
2011075015.tif 000015
【図１４】
2011075015.tif 000016
【図１５】
2011075015.tif 000017
【図１６】
2011075015.tif 000018
【図１７】
2011075015.tif 000019
【図１８】
2011075015.tif 000020
【図１９】
2011075015.tif 000021
【図２０】
2011075015.tif 000022
【図２１】
2011075015.tif 000023
【図２２】
2011075015.tif 000024
【図２３】
2011075015.tif 000025
【図２４】
2011075015.tif 000026
【図２５】
2011075015.tif 000027
【図２６】
2011075015.tif 000028
【図２７】
2011075015.tif 000029
【図２８】
2011075015.tif 000030
【図２９】
2011075015.tif 000031
【図３０】
2011075015.tif 000032
【図３１】
2011075015.tif 000033
【図３２】
2011075015.tif 000034
【図３３】
2011075015.tif 000035
【図３４】
2011075015.tif 000036
【図３５】
2011075015.tif 000037
【図３６】
2011075015.tif 000038
【図３７】
2011075015.tif 000039
【図３８】
2011075015.tif 000040
【図３９】
2011075015.tif 000041
【図４０】
2011075015.tif 000042